(57)【特許請求の範囲】
【請求項１】
水道管の上流側に設けられ管路を開閉する第１のバルブと、前記水道管の下流側に設けられ管路を開閉する第２のバルブと、前記第１のバルブと第２のバルブとの間の前記水道管に接続されたノズル付き放水ホースと、このノズル付き放水ホースを格納する開閉扉を有する格納箱と、前記開閉扉の開操作と連動して前記第２のバルブを閉弁し、前記第１のバルブを開弁して前記放水ホース内を加圧状態とし、前記開閉扉の閉操作と連動して第１のバルブを閉弁し、第２のバルブを開弁して前記放水ホース内を無加圧状態とするバルブ開閉操作手段とを具備したことを特徴とする放水栓。
【請求項２】
水道管の上流側に設けられ管路を開閉する第１のバルブと、前記水道管の下流側に設けられ管路を開閉する第２のバルブと、前記第１のバルブと第２のバルブとの間の前記水道管に接続されたノズル付き放水ホースと、不使用時に前記ノズル付き放水ホースを保持するホース保持機構と、このホース保持機構から前記ノズル付き放水ホースを取り外す操作と連動して前記第２のバルブを閉弁し、前記第１のバルブを開弁して前記放水ホース内を加圧状態とし、前記ノズル付き放水ホースを前記ホース保持機構に保持する操作と連動して第１のバルブを閉弁し、第２のバルブを開弁して前記放水ホース内を無加圧状態とするバルブ開閉操作手段とを具備したことを特徴とする放水栓。
【請求項３】
請求項１のバルブ開閉操作手段は、開閉扉の開閉に連動して機械的に第１及び第２のバルブを開閉する無加圧引出し防止機構及び加圧保管防止機構であることを特徴とする放水栓。
【請求項４】
請求項２のバルブ開閉操作手段は、ホース保持機構に設けられ該ホース保持機構に対するホースの着脱を検出する検出器と、この検出器からの信号によって電気的に第１及び第２のバルブを開閉する無加圧引出し防止機構及び加圧保管防止機構であることを特徴とする放水栓。
【請求項５】
請求項１または２のノズル付き放水ホースは、合成樹脂製のコイルチューブであることを特徴とする放水栓。
【請求項６】
請求項１または２のノズル付き放水ホースのノズルは、止水、噴霧、ジェット噴射等の切換ができることを特徴とする放水栓。
【発明の詳細な説明】
【０００１】
【発明の属する技術分野】
この発明は、例えば、一般家庭用として用いられ、水道管に接続して放水できる消火栓及び庭木、植木鉢等に散水する散水栓として用いられる放水栓に関する。
【０００２】
【従来の技術】
工場、事務所等においては、消火栓の設置が義務付けられており、ビルの壁面等に消火栓が設置されているが、一般家庭においては、消火器を備えている。この消火器は、消火薬剤が充填されているものであって定期的に消火薬剤の詰め替えを必要とするが、その維持管理が十分にできていないのが実情である。
【０００３】
また、日本国内においては、平成３年に「住宅用スプリンクラー設置等の技術ガイドライン」が消防庁から示されているが、配管工事費が嵩み、また既設の建物に設置した場合には配管が露出して美観を損なうという問題があり、普及していない。
【０００４】
そこで、工場、事務所等に設置されている消火栓をそのまま、あるいは小型の消火栓を一般家庭に設置することが考えられるが、消火栓は、一般に格納箱の内部に消防ホースを巻取りリールに巻回した状態で保管されたり、ハンガー等に蛇行状に屈曲されて保管されている。消防ホースにはその基端部にバルブが設けられ、先端部には放水ノズルが設けられ、消防ホースの基端部は給水源に接続されている。
【０００５】
そして、火災発生時に格納箱の扉を開けて巻取りリールやハンガー等から消防ホースを外部に引き出し、バルブを開くと、これと連動する加圧送水装置が作動して消防ホースに加圧送水され、放水ノズルから水が噴出して消火活動を行うことができるようになっている。
【０００６】
【発明が解決しようとする課題】
しかし、消火栓は、初期消火の目的のために設置されており、火災発生時に誰もが、使用できる必要があるが、いざ火災が発生した場合、慌てて操作を行うことができず、初期消火を逸してしまうことがある。また、従来の消火栓は、大型で設置スペースを広く必要とすること、水槽や送水ポンプが必要で高価であるという問題があり、操作が簡単で、誰でもが簡単に使用でき、さらに安価な消火栓が望まれている。
【０００７】
この発明は、前記事情に着目してなされたもので、その目的とするところは、不慣れな人または初めての人でも、火災の発生時に簡単に操作ができ、環境にやさしい水で確実な消火活動が行え、また普段から練習を兼ねて庭木や植木鉢への散水としても、また玄関、壁等の水洗いにも手軽に使用できる放水栓を提供することにある。
【０００８】
【課題を解決するための手段】
この発明は、前記目的を達成するために、請求項１は、水道管の上流側に設けられ管路を開閉する第１のバルブと、前記水道管の下流側に設けられ管路を開閉する第２のバルブと、前記第１のバルブと第２のバルブとの間の前記水道管に接続されたノズル付き放水ホースと、このノズル付き放水ホースを格納する開閉扉を有する格納箱と、前記開閉扉の開操作と連動して前記第２のバルブを閉弁し、前記第１のバルブを開弁して前記放水ホース内を加圧状態とし、前記開閉扉の閉操作と連動して第１のバルブを閉弁し、第２のバルブを開弁して前記放水ホース内を無加圧状態とするバルブ開閉操作手段とを具備したことを特徴とする放水栓にある。
【０００９】
請求項２は、水道管の上流側に設けられ管路を開閉する第１のバルブと、前記水道管の下流側に設けられ管路を開閉する第２のバルブと、前記第１のバルブと第２のバルブとの間の前記水道管に接続されたノズル付き放水ホースと、不使用時に前記ノズル付き放水ホースを保持するホース保持機構と、このホース保持機構から前記ノズル付き放水ホースを取り外す操作と連動して前記第２のバルブを閉弁し、前記第１のバルブを開弁して前記放水ホース内を加圧状態とし、前記ノズル付き放水ホースを前記ホース保持機構に保持する操作と連動して第１のバルブを閉弁し、第２のバルブを開弁して前記放水ホース内を無加圧状態とするバルブ開閉操作手段とを具備したことを特徴とする放水栓にある。
【００１０】
請求項３は、請求項１のバルブ開閉操作手段は、開閉扉の開閉に連動して機械的に第１及び第２のバルブを開閉する無加圧引出し防止機構及び加圧保管防止機構であることを特徴とする。
【００１１】
請求項４は、請求項２のバルブ開閉操作手段は、ホース保持機構に設けられ該ホース保持機構に対するホースの着脱を検出する検出器と、この検出器からの信号によって電気的に第１及び第２のバルブを開閉する無加圧引出し防止機構及び加圧保管防止機構であることを特徴とする。
【００１２】
請求項５は、請求項１または２のノズル付き放水ホースは、合成樹脂製のコイルチューブであることを特徴とする。
請求項６は、請求項１または２のノズル付き放水ホースのノズルは、止水、噴霧、ジェット噴射等の切換ができることを特徴とする。
【００１３】
使用時に、開閉扉を開放するか、ノズル付き放水ホースをホース保持機構から取り外すと、水道管の下流側の第２バルブが閉弁し、上流側の第１のバルブが開弁してノズル付き放水ホースに水道水が供給されて加圧状態となり、ノズル付き放水ホースの引き出しが可能となる。また、使用後、開閉扉を閉じるか、ノズル付き放水ホースをホース保持機構に装着すると、水道管の上流側の第１のバルブが閉弁し、下流側の第２のバルブが開弁してノズル付き放水ホース内の水道水が排水されて無加圧状態となり、ノズル付き放水ホースの格納が可能となる。
【００１４】
【発明の実施の形態】
以下、この発明の実施の形態を図面に基づいて説明する。
図１〜図５は第１の実施形態を示し、一般家庭用の放水栓であり、図１は正面図、図２は図１のＡ−Ａ線に沿う断面図、図３は図１のＢ−Ｂ線に沿う断面図、図４は第１及び第２のバルブの縦断側面図、図５は作用説明図である。図１に示す放水栓の格納箱１は、キッチンルームに設置される流し台２と一体的に設けられ、流し台２には流し槽３及び流し戸棚４が設けられている。
【００１５】
図２及び図３に示すように、格納箱１は縦長で、その上部には開口部５が設けられている。格納箱１の下端部にはヒンジ軸６を中心として手前側に回動することにより開口部５が開放されるようになっており、格納箱１の前面には開閉扉７が一体に設けられている。なお、８は開閉扉７に設けられた取手である。格納箱１の内部にはノズル付き放水ホース９が巻回状態で格納されている。
【００１６】
格納箱１の内底部には水道管１０が配管されており、１０ａは上流側、１０ｂは下流側である。上流側１０ａには水道管１０の管路を開閉する第１のバルブ１１が設けられ、下流側１０ｂには水道管１０の管路を開閉する第２のバルブ１２が設けられている。そして、第１と第２のバルブ１１，１２間に位置する水道管１０の途中に格納箱１の側壁に沿って立上る分岐管１７が接続され、この分岐管１７の上端部に継手１８を介してノズル付き放水ホース９の基端部が接続されている。
【００１７】
図４に示すように、第１のバルブ１１は例えばボールバルブであり、ボール１３と連結された操作レバー１４を有し、操作レバー１４が斜め下方に位置しているときは閉弁状態にあり、上方へ９０゜回動したとき開弁するようになっている。また、第２のバルブ１２は例えばボールバルブであり、ボール１５と連結された操作レバー１６を有し、操作レバー１６が斜め下方に位置しているときは開弁状態にあり、上方へ９０゜回動したとき閉弁するようになっている。
【００１８】
さらに、格納箱１の下端部に位置し、かつ第１のバルブ１１側には操作ロッド２０が下方に突出して設けられ、この操作ロッド２０の下端部には操作レバー１４の長孔１４ａにスライド自在に係合するローラ２１が設けられている。そして、開閉扉７と一体の格納箱１を手前側に回動して開口部５を開放すると、図５に示すように、操作ロッド２０によって操作レバー１４が上方に回動し、これと一体にボール１３が回転して第１のバルブ１１が開弁するようになっており、無加圧引出し防止機構２２が構成されている。
【００１９】
さらに、格納箱１の下端部に位置し、かつ第２のバルブ１２側には操作ロッド２３が下方に突出して設けられ、この操作ロッド２３の下端部には操作レバー１６の長孔１６ａにスライド自在に係合するローラ２４が設けられている。そして、開閉扉７と一体の格納箱１を手前側に回動して開口部５を開放すると、操作ロッド２３によって操作レバー１６が上方に回動し、これと一体にボール１５が回転して第２のバルブ１２が閉弁するようになっており、加圧保管防止機構２５が構成されている。
【００２０】
前記ノズル付き放水ホース９について説明を加えると、ホース９ａは合成樹脂製のコイルチューブであり、例えば外径が１１ｍｍ、内径が９ｍｍで、コイル巻径が３００ｍｍ、長さが１５ｍである。このホース９ａは内部に水圧が加わって加圧状態でないと延ばすことができないので、ホース断面形状の保形性の保持、補強が不要である。また、無加圧状態でないとコイル状の形態で格納箱１に保管できないので、クリープ現象に対するブレード等の補強が不要である。したがって、捩れを吸収できないブレード補強されたガーデンホースとは違いコイル巻を引出して捩れてもホース９ａ自体が捩れを吸収できる。また、ノズル９ｂは、止水、噴霧、ジェット噴射の切換ができ、使用目的に応じて任意に切換えることができ、格納箱１へ格納した状態においては、格納箱１の内側壁に設けられたノズル保持機構としてのクリップ２６に保持されている。
【００２１】
次に、第１の実施形態の作用について説明する。
格納箱１にノズル付き放水ホース９が格納され、開閉扉７が閉塞されている状態においては、格納箱１の底部に設けられた操作ロッド２０，２３によって操作レバー１４，１６が押し下げられているため、第１のバルブ１１は閉弁し、第２のバルブ１２は開弁している。したがって、ノズル付きホース９の内部は無加圧状態に保持されている。
【００２２】
この状態から、取手８に手を掛け、開閉扉７を手前側に引くと、開閉扉７と一体の格納箱１はヒンジ軸６を支点として手前側に回動し、操作ロッド２０によって操作レバー１４が上方に回動し、これと一体にボール１３が回転して第１のバルブ１１が開弁する。また、操作ロッド２３によって操作レバー１６が上方に回動し、これと一体にボール１５が回転して第２のバルブ１２が閉弁する。
【００２３】
したがって、水道管１０の上流側１０ａから分岐管１７を介してノズル付き放水ホース９に水道水が供給されてホース９ａが加圧状態となり、図５に示すように、ノズル付き放水ホース９を開口部５から引出してノズル９ｂから放水できる。また、放水後、ノズル９ｂにおいて止水し、ノズル付き放水ホース９を格納箱１に格納し、開閉扉７を閉塞すると、操作ロッド２０，２３によって操作レバー１４，１６が押し下げられ、第１のバルブ１１は閉弁し、第２のバルブ１２は開弁する。このため、ノズル付き放水ホース９内の水道水は分岐管１７を介して水道管１０の下流側１０ｂに排水され、無加圧状態となる。
【００２４】
このようにノズル付き放水ホース９の格納状態においては、第２のバルブ１２が自動的に開弁されるため加圧保管が防止され、また開閉扉７を開放すると、第１のバルブ１１が自動的に開弁されるため、ノズル付き放水ホース９の無加圧引き出しを防止できる。
【００２５】
なお、前記第１の実施形態においては、格納箱１と開閉扉７とを一体に構成し、格納箱１が前方に回動して開口部５が開放するように構成したが、格納箱の前面に開口部を設け、この開口部を開閉する開閉扉を設けてもよい。この場合には、開閉扉に第１および第２のバルブを開閉する操作ロッドを設ける。
【００２６】
図６は第２の実施形態を示し、第１の実施形態と同一構成部分は同一番号を付して説明を省略する。本実施例においては、水道管１０の上流側１０ａに第１のバルブとしての第１の電磁弁３１が設けられ、下流側１０ｂに第２のバルブとしての第２の電磁弁３２が設けられている。第１の電磁弁３１は励磁されると水道管１０の管路を開弁し、励磁解除されると、閉弁するようになっている。逆に、第２の電磁弁３２は励磁されると水道管１０の管路を閉弁し、励磁解除されると、開弁するようになっている。
【００２７】
ノズル保持機構としてのクリップ２６にはノズル９ｂを装着したときオフし、ノズル９ｂをクリップ２６から外したときオンする検出器としてのスイッチ３３が設けられている。このスイッチ３３はコントローラ３４を介して第１の電磁弁３１および第２の電磁弁３２に電気的に接続され、コントローラ３４は電源に接続されている。
【００２８】
次に、第２の実施形態の作用について説明する。
格納箱１のクリップ２６にノズル９ｂが装着され、ノズル付き放水ホース９が格納箱１に格納されている状態においては、スイッチ３３がオフ状態にあり、第１の電磁弁３１は閉弁し、第２の電磁弁３２は開弁している。したがって、ノズル付きホース９の内部は無加圧状態に保持されている。
【００２９】
この状態から、取手８に手を掛け、開閉扉７を手前側に引くと、開閉扉７と一体の格納箱１はヒンジ軸６を支点として手前側に回動する。次に、ノズル９ｂをクリップ２６から取り外すと、スイッチ３３がオンし、コントローラ３４から第１および第２の電磁弁３１，３２に励磁電流が流れる。
【００３０】
したがって、第１の電磁弁３１が開弁し、第２の電磁弁３２が閉弁するため、水道管１０の上流側１０ａから分岐管１７を介してノズル付き放水ホース９に水道水が供給されてホース９ａが加圧状態となり、ノズル付き放水ホース９を開口部５から引出してノズル９ｂから放水できる。また、放水後、ノズル９ｂにおいて止水し、ノズル付き放水ホース９を格納箱１に格納し、ノズル９ｂをクリップ２６に装着すると、スイッチ３３がオフとなり、コントローラ３４を介して第１および第２の電磁弁３１，３２が励磁解除され、第１の電磁弁３１は閉弁し、第２の電磁弁３２は開弁する。このため、ノズル付き放水ホース９内の水道水は分岐管１７を介して水道管１０の下流側１０ｂに排水され、無加圧状態となる。
【００３１】
このようにノズル付き放水ホース９のノズル９ｂをクリップ２６に装着した状態においては、第２の電磁弁３２が自動的に開弁されるため加圧保管が防止され、またノズル９ｂをクリップ２６から取り外すと、第１の電磁弁３１が自動的に開弁されるため、ノズル付き放水ホース９の無加圧引き出しを防止できる。
【００３２】
【発明の効果】
以上説明したように、この発明によれば、請求項１及び２によれば、使用時に、開閉扉を開放するか、ノズル付き放水ホースをホース保持機構から取り外すと、水道管の下流側の第２バルブが閉弁し、上流側の第１のバルブが開弁してノズル付き放水ホースに水道水が供給されて加圧状態となり、ノズル付き放水ホースの引き出しが可能となる。したがって、家庭用消火栓として使用できるとともに、庭木や植木鉢への散水あるいは玄関、壁等の水洗いに利用できる。
【００３３】
また、使用後、開閉扉を閉じるか、ノズル付き放水ホースをホース保持機構に装着すると、水道管の上流側の第１のバルブが閉弁し、下流側の第２のバルブが開弁してノズル付き放水ホース内の水道水が排水されて無加圧状態となり、ノズル付き放水ホースの格納が可能となり、操作が簡単であるとともに、小型で設置スペースが少なくてすみ、また廉価に提供できるという効果がある。
【図面の簡単な説明】
【図１】この発明の第１の実施形態を示す放水栓の正面図。
【図２】図１のＡ−Ａ線に沿う断面図。
【図３】図１のＢ−Ｂ線に沿う断面図。
【図４】同実施形態の第１及び第２のバルブの縦断側面図。
【図５】同実施形態の作用説明図。
【図６】この発明の第２の実施形態の要部の構成図。
【符号の説明】
１…格納箱
５…開口部
７…開閉扉
９…ノズル付き放水ホース
１０…水道管
１１…第１のバルブ
１２…第２のバルブ
２２…無加圧引出し防止機構
２３…加圧保管防止機構
【図１】
0003883703.tif 000002
【図２】
0003883703.tif 000003
【図３】
0003883703.tif 000004
【図４】
0003883703.tif 000005
【図５】
0003883703.tif 000006
【図６】
0003883703.tif 000007